【事件の表示】
　特許第２８２９９１７号「外部ストロボ装置装着可能なストロボ内蔵カメラ」の請求項１ないし７に係る特許に対する特許異議の申立てについて、次のとおり決定する。
【結論】
　訂正を認める。
　特許第２８２９９１７号の請求項１ないし７に係る特許を維持する。
【理由】
（１）手続きの経緯
　本件特許第２８２９９１７号発明は、昭和６３年１０月１８日の出願であって、平成１０年９月２５日にその発明の特許がなされ、その後、石川　知寿より特許異議の甲立てがなされ、取消理由通知がなされ、その指定期間内である平成１１年１０月１２日に訂正請求がなされたものである。
（２）訂正の適否についての判断
▲１▼特許請求の範囲の訂正
ア．訂正明細書の請求項１に係る発明
　訂正明細書の請求項１に係る発明は、特許請求の範囲に特定された、次のとおりのものである。「（１）電池と、該電池の電圧を昇圧するＤＣ／ＤＣコンバータと、発光のためのエネルギを蓄えるコンデンサと、放電管と、該放電管の発光を開始させるトリガ回路とを備えた外部ストロボ装置が装着された際には、該外部ストロボ装置及び内蔵ストロボ装置の両方を発光させる外部ストロボ装置装着可能なストロボ内蔵カメラにおいて、前記外部ストロボ装置が装着された状態で、該外部ストロボ装置側にて選択されるストロボ撮影モードの内、特定のモードが選択されたことを検知する検知手段と、該検知手段の検知により前記内蔵ストロボ装置の発光を禁止する発光禁止手段とを設けたことを特徴とする外部ストロボ装置装着可能なストロボ内蔵カメラ。」
▲２▼詳細な説明の訂正
ア．明細書第５頁末行〜第６頁第１３行（特許掲載公報第４欄第２６〜３４行）の「上記目的を達成するために、……とするものである。」を「上記目的を達成するために、本発明は、電池と、該電池の電圧を昇圧するＤＣ／ＤＣコンバータと、発光のためのエネルギを蓄えるコンデンサと、放電管と、該放電管の発光を開始させるトリガ回路、とを備えた外部ストロボ装置が装着された際には、該外部ストロボ装置及び内蔵ストロボ装置の両方を発光させる外部ストロボ装置装着可能なストロボ内蔵カメラにおいて、前記外部ストロボ装置が装着された状態で、該外部ストロボ装置側にて選択されるストロボ撮影モードの内、特定のモードが選択されたことを検知する検知手段と、該検知手段の検知により前記内蔵ストロボ装置の発光を禁止する発光禁止手段とを設けた外部ストロボ装置装着可能なストロボ内蔵カメラとするものである。」と訂正する。
イ．明細書第３８頁第１２行〜第３９頁第４行（特許掲載公報第１５欄第２３行〜第１６欄第１０行）の「外部ストロボ装置が装着された際には、……禁止するようにしたら、」を「電池と、該電池の電圧を昇圧するＤＣ／ＤＣコンバータと、発光のためのエネルギを蓄えるコンデンサと、放電管と、該放電管の発光を開始させるトリガ回路とを備えた外部ストロボ装置が装着された際には、該外部ストロボ装置及び内蔵ストロボ装置の両方を発光させる外部ストロボ装置装着可能なストロボ内蔵カメラにおいて、前記外部ストロボ装置が装着された状態で、該外部ストロボ装置側にて選択されるストロボ撮影モードの内、特定のモードが選択されたことを検知する検知手段と、該検知手段の検知により前記内蔵ストロボ装置の発光を禁止する発光禁止手段とを設け、以て、外部ストロボ装置が装着された状態で、外部ストロボ装置側にて選択されるストロボ撮影モードの内、特定のモード、例えば後幕発光モード、マニュアル発光モード、プリ発光により露光量を記憶し、撮影時に該露光量に従って露出制御を行うモード、マルチ発光モード、連写モード、外部調光モードが設定された場合、内蔵ストロボ装置の発光を禁止するようにしたから、」と訂正する。
▲３▼訂正の目的の適否及び拡張・変更の存否等
　上記訂正▲１▼は、訂正前明細書の請求項１に記載された発明を、技術的に限定して、請求項１としたものであり、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正▲２▼は、特許請求の範囲の訂正に対応したものであり、明瞭でない記載の釈明ないし誤記の訂正に該当し、願書に添付した明細書又は図面に記載された事項の範囲内のものであり、実質的に特許請求の範囲を拡張又は変更するものではなく、新規事項の追加もない。
▲４▼独立特許要件の判断
（引用刊行物に記載された発明）
訂正前明細書の請求項１に係る発明に対して、当審が通知した取消理由で引用した特開昭５８−１００８４１号公報（以下、「第１引用例」という。）には、「Ｘｅは内蔵ストロボ発光部、Ｘｗは水中撮影用ストロボ発光部であり、……耐水構造になっている。第３図は本発明による水陸兼用カメラのストロボ装置の一実施例を示す回路図である。図においてＸｅはカメラ本体に内蔵されるストロボ装置であり、……Ｓ３は閃光放電管Ｘ１の発光を不動作にするスイッチである。」（第２頁右上欄第７行〜左下欄第６行）及び「この時カメラ内蔵ストロボ放電管Ｘ１はスイッチＳ３のオフにより発光しない。なお水中撮影用ストロボＸｗを装着した状態で陸上におけるストロボ撮影を行なう場合に、……勿論陸上撮影においても水中撮影用閃光放電管Ｘ２だけを発光させる事も可能である。」（第２頁右下欄第１１行〜第３頁左上欄第１行）との記載があり、結局、閃光放電管Ｘ３を備えた水中撮影用ストロボＸｗが装着された際には、水中撮影用ストロボＸｗ及び内蔵ストロボ発光部Ｘｅの両方を発光させる水中撮影用ストロボＸｗ装着可能なストロボ内蔵カメラにおいて、前記水中撮影用ストロボＸｗが装着された状態で、内蔵ストロボ発光部Ｘｅの発光を禁止する不作動スイッチＳ３を設けた水中撮影用ストロボＸｗ装着可能なストロボ内蔵カメラが記載されている。
　同じく引用した特開昭５５−７７７２号公報（以下、「第２引用例」という。）には、「次にカメラにストロボを装着したときの両電気回路の作動を説明する。（４）撮影モード選択用切換スイッチ２４５Ａ、２４５Ｂを、各固定端子２４５Ａａ、２４５Ｂａに切り換えて、カメラをリミッター接続撮影モードとし、オートストロボを接続した場合、この場合にはカメラがわに配設された測光用受光素子２０３の測光作動によってオートストロボの自動調光がなされ、たとえ被写体に対する露光量が不足していたとしてもカメラのシャッターはリミッター回路（Ｕ）よりのリミッター信号に基づき手振れ限界内の秒時で閉鎖される。」（第１４頁右下欄第４〜１５行）、「（５）撮影モード選択用切換スイッチ２４５Ａ、２４５Ｂを各固定端子２４５Ａｂ、２４５Ｂｂに切り換えて、カメラをオート撮影モードとし、オートストロボを接続した場合、この場合には、カメラがわに配設された測光用受光素子２０３の測光動作によってオートストロボの自動調光がなされ、被写体に対する露光量が不足していても、カメラのシャッターは、リミッター回路（Ｕ）よりのリミッター信号に基づき続き閉鎖される。前記（４）の場合と相違する動作について述べれば、」（第１６頁右下欄第１６行〜第１７頁左上欄第６行）及び「（６）撮影モード選択用切換スイッチ２４５Ａ、２４５Ｂを各固定端子２４５Ａｃ、２４５Ｂｃに切り換えて、カメラをマニュアル撮影モードとし、オートストロボを接続した場合、この場合はストロボがわに配設された測光用受光素子９２によって自動調光がなされ、マニュアル秒時設定用選択スイッチ２８１により予じめ設定されたシンクロ撮影秒時で、露光量とは無関係にシャッターは閉成される。」（第１７頁左下欄第１０〜１８行）との記載があり、同じく引用した特開昭５３−７９５３０号公報（以下、「第３引用例」という。）には、「次に本発明は眼底カメラのみならず、一般のカメラにも適用し得るものであり、第６図は電気制御に、よるフオーカルプレーンシャッタ付カメラに適用した実施例を示すものであり、……コンデンサＣ２１の充電電圧が規定の値になると電圧比較ＩＣ４１の出力はオフとなってコイル４２に電流が流れなくなり後幕の係止が解かれる。この瞬間にＣ点の電位が上昇するのでこれをコンデンサＣ２２，抵抗Ｒ２２の微分回路で微分してＳＣＲ４３のゲートをトリガーし、ＳＣＲ４３をオンしてストロボ用シンクロソケットの接点間を短絡し、そこに接続されているストロボを発光させるものである。……従来のように先幕走行終了時にストロボを発光させる場合には、先幕走行終了信号を本実施例のように純電気的に検出することは困難であり、確実なストロボ発光を行ない得る。」（第３頁右下欄第１１行〜第４頁右上欄第１２行）との記載がある。
（請求項１に係る発明についての対比・判断）
　本件請求項１に係る発明と第１引用例に記載の発明とを対比すると、本件請求項１に係る発明の「放電管」、「外部ストロボ装置」、「内蔵ストロボ装置」、「発光禁止手段」は、それぞれ第１引用例記載の発明の「閃光放電管Ｘ３」、「水中撮影用ストロボＸｗ」、「内蔵ストロボ発光部Ｘｅ」、「不作動スイッチＳ３」に相当するから、両者は、放電管を備えた外部ストロボ装置が装着された際には、該外部ストロボ装置及び内蔵ストロボ装置の両方を発光させる外部ストロボ装置装着可能なストロボ内蔵カメラにおいて、前記外部ストロボ装置が装着された状態で、前記内蔵ストロボ装置の発光を禁止する発光禁止手段とを設けた外部ストロボ装置装着可能なストロボ内蔵カメラ、で一致し、
Ａ本件請求項１に係る発明は、電池と、該電池の電圧を昇圧するＤＣ／ＤＣコンバータと、発光のためのエネルギを蓄えるコンデンサと、放電管と、該放電管の発光を開始させるトリガ回路とを備えた外部ストロボ装置であるのに対して、第１引用例に記載の発明は、閃光放電管Ｘ３を備えた水中撮影用ストロボＸｗである点、
Ｂ本件請求項１に係る発明は、該外部ストロボ装置側にて選択されるストロボ撮影モードの内、特定のモードが選択されたことを検知する検知手段を有するのに対して、第１引用例に記載の発明では、そのような構成を有しない点、
Ｃ本件請求項１に係る発明は、該検知手段の検知により前記内蔵ストロボ装置の発光を禁止するのに対して、第１引用例に記載の発明は、不動作スイッチＳ３により内蔵ストロボ発光部Ｘｅの発光を禁止する点で相違する。
　そこで、これらの構成が、第２引用例及び第３引用例に記載ないし示唆されているか否かを検討すると、第２引用例には、上記Ｂの構成の一部、すなわち、特定のモードが選択されたことを検知する検知手段が記載されているだけで、外部ストロボ装置側にて選択されるストロボ撮影モードの内ではなく、第３引用例には、上記Ｂの構成の一部、すなわち、特定のモードの実施例である後幕モードが記載されているだけである。
　してみれば、各引用例には、本件請求項１に係る発明の構成の一部である上記Ａ、Ｂ、Ｃの構成が記載されていない。
　本件請求項１に係る発明は、上記Ａ、Ｂ、Ｃの構成を有することによって、明細書記載の作用効果を奏するものであるから、本件請求項１に係る発明が各引用例に記載された発明であるとも、各引用例に基づいて容易に推考された発明であるともいえない。
　したがって、本件請求項１に係る発明は特許出願の際独立して特許を受けることができない発明とすることはできない。
　（請求項２〜７に係る発明についての対比・判断）
　請求項２〜７に係る発明は、本件請求項１に係る発明の構成の一部をさらに限定したものであるから本件請求項１に係る発明と同様の判断となる。
　したがって、本件請求項２〜７に係る発明は特許出願の際独立して特許を受けることができない発明とすることはできない。
▲５▼むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する第１２６条第２−４項の規定に適合するので、当該訂正を認める。
　（３）特許異議の申立てについての判断
ア．申立ての理由の概要
　甲立人石川　知寿は、証拠として甲第１号証（特開昭５８−１００８４１号公報、上記第１引用例に同じ）、甲第２号証（特開昭５５−７７７２号公報、上記第２引用例に同じ）及び甲第３号証（特開昭５３−７９５３０号公報、上記第３引用例に同じ）を提出し、訂正前の請求項１〜７に記載された発明は、特許法第２９条第１項第３号の規定に違反してなされたものであるから、特許を取り消すべき旨主張し、また、特許法第２９条第２項の規定に違反してなされたものであるから、特許を取り消すべき旨主張している。
イ．判断
〔本件請求項１〜７に係る発明〕
　本件請求項１〜７に係る発明は、上記（２）▲４▼で述べた通りである。
ウ．むすび
　以上のとおりであるから、特許異議申立の理由及び証拠によっては、本件請求項１〜７に係る発明の特許を取り消すことはできない。
　また、他に本件請求項１〜７に係る発明の特許を取り消すべき理由を発見しない。
　よって、結論のとおり決定する。
【異議決定日】
平成１１年１２月８日（１９９９．１２．８）
【訂正の要旨】
　訂正の要旨
特許請求の範囲の減縮を目的として、下記（１）のように特許請求の範囲を訂正する。また、特許請求の範囲の訂正に応じて、発明の詳細な説明についても、適合性を持たせるために明瞭でない記載の釈明ないし誤記の訂正を目的として、下記（２）、（３）のように訂正する。
（１）特許請求の範囲の請求項１を、次のとおり訂正する。
「（１）電池と、該電池の電圧を昇圧するＤＣ／ＤＣコンバータと、発光のためのエネルギを蓄えるコンデンサと、放電管と、該放電管の発光を開始させるトリガ回路とを備えた外部ストロボ装置が装着された際には、該外部ストロボ装置及び内蔵ストロボ装置の両方を発光させる外部ストロボ装置装着可能なストロボ内蔵カメラにおいて、前記外部ストロボ装置が装着された状態で、該外部ストロボ装置側にて選択されるストロボ撮影モードの内、特定のモードが選択されたことを検知する検知手段と、該検知手段の検知により前記内蔵ストロボ装置の発光を禁止する発光禁止手段とを設けたことを特徴とする外部ストロボ装置装着可能なストロボ内蔵カメラ。」
（２）明細書第５頁末行〜第６頁第１３行（特許掲載公報第４欄第２６〜３４行）の「上記目的を達成するために、‥‥‥とするものである。」を「上記目的を達成するために、本発明は、電池と、該電池の電圧を昇圧するＤＣ／ＤＣコンバータと、発光のためのエネルギを蓄えるコンデンサと、放電管と、該放電管の発光を開始させるトリガ回路とを備えた外部ストロボ装置が装着された際には、該外部ストロボ装置及び内蔵ストロボ装置の両方を発光させる外部ストロボ装置装着可能なストロボ内蔵カメラにおいて、前記外部ストロボ装置が装着された状態で、該外部ストロボ装置側にて選択されるストロボ撮影モードの内、特定のモードが選択されたことを検知する検知手段と、該検知手段の検知により前記内蔵ストロボ装置の発光を禁止する発光禁止手段とを設けたことを特徴とする外部ストロボ装置装着可能なストロボ内蔵カメラとするものである。」と訂正する。
（３）明細書第３８頁第１２行〜第３９頁第４行（特許掲載公報第１５欄第２３行〜第１６欄第１０行）の「外部ストロボ装置が装着された際には、‥‥‥禁止するようにしたら、」を「電池と、該電池の電圧を昇圧するＤＣ／ＤＣコンバータと、発光のためのエネルギを蓄えるコンデンサと、放電管と、該放電管の発光を開始させるトリガ回路とを備えた外部ストロボ装置が装着された際には、該外部ストロボ装置及び内蔵ストロボ装置の両方を発光させる外部ストロボ装置装着可能なストロボ内蔵カメラにおいて、前記外部ストロボ装置が装着された状態で、該外部ストロボ装置側にて選択されるストロボ撮影モードの内、特定のモードが選択されたことを検知する検知手段と、該検知手段の検知により前記内蔵ストロボ装置の発光を禁止する発光禁止手段とを設け、以て、外部ストロボ装置が装着された状態で、外部ストロボ装置側にて選択されるストロボ撮影モードの内、特定のモード、例えば後幕発光モード、マニュアル発行モード、プリ発光により露光量を記憶し、撮影時に該露光量に従って露出制御を行うモード、マルチ発光モード、連写モード、外部調光モードが設定された場合、内蔵ストロボ装置の発光を禁止するようにしたから、」と訂正する。
（５４）【発明の名称】
外部ストロボ装置装着可能なストロボ内蔵カメラ
（５７）【特許請求の範囲】
（１）
電池と、該電池の電圧を昇圧するＤＣ／ＤＣコンバータと、発光のためのエネルギを蓄えるコンデンサと、放電管と、該放電管の発光を開始させるトリガ回路とを備えた
、該外部ストロボ装置側にて
（２）前記特定のモードは、後幕発光モードであることを特徴とする請求項１記載の外部ストロボ装置装着可能なストロボ内蔵カメラ。
（３）前記特定のモードは、マニュアル発光モードであることを特徴とする請求項１記載の外部ストロボ装置装着可能なストロボ内蔵カメラ。
（４）前記特定のモードは、プリ発光により露光量を記憶し、撮影時に該露光量に従って露出制御を行うモードであることを特徴とする請求項１記載の外部ストロボ装置装着可能なストロボ内蔵カメラ。
（５）前記特定のモードは、マルチ発光モードであることを特徴とする請求項１記載の外部ストロボ装置装着可能なストロボ内蔵カメラ。
（６）前記特定のモードは、連写モードであることを特徴とする請求項１記載の外部ストロボ装置装着可能なストロボ内蔵カメラ。
（７）前記特定のモードは、外部調光モードであることを特徴とする請求項１記載の外部ストロボ装置装着可能なストロボ内蔵カメラ。
【発明の詳細な説明】
（発明の利用分野）
　本発明は、ストロボ装置を内蔵したカメラに増灯用の外部ストロボ装置を取り付け、設定されるストロボ撮影モードに応じて発光制御を行う外部ストロボ装置装着可能なストロボ内蔵カメラの改良に関するものである。
（発明の背景）
　近年一眼レフカメラにもストロボ装置を内蔵したものも出現しており、増灯の目的からこの内蔵ストロボ装置と外部ストロボ装置を並用して使用する場合が少なくない。この場合、ＴＴＬ調光等の自動モードを使用する場合には問題ないが、外部ストロボ装置が持つ特殊なモードを使用して、内蔵、外部の２灯発光を行ってストロボ撮影を行う場合、出来上がった写真が撮影者の意図と異なった写真になってしまったり、不具合な写真となってしまう場合があった。以下に特殊なモードが選択された場合の例とそれに伴う問題点を述べる。
　１）外部ストロボ装置のモードがマニュアル発光モード（発光量を手動設定するモード）に設定された場合
　この場合、外部ストロボ装置のフル発光量をもとにガイドナンバーが計算される為、内蔵ストロボ装置が発光した為に発光量がその分多くなり、撮影者が考えていた状況より、露光オーバーとなってしまう可能性がある。外部ストロボがＦＥＬ（撮影に先立って行われる主発光部のプリ発光による露光量を記憶しておき、撮影時に該露光量に従って露出制御を行う）モードの場合もほぼ同様である。
　２）外部ストロボ装置のモードが後幕発光モードに設定された場合
　たとえば、内蔵ストロボ装置は先幕の走行完了信号で発光し、外部ストロボ装置は後幕走行開始のタイミングで発光させた場合、発光タイミングが異なり、後幕発光モードの効果が損なわれ、作画意図とは異なった写真となってしまう。又は内蔵と外部のストロボの発光タイミングが異なる場合も同様である。
　３）外部ストロボ装置のモードがマルチ発光モードに設定された場合
　外部ストロボ装置のマルチ発光モードとは、一回の撮影に対して複数の一定光量の発光を行うものであり、この発光に内蔵ストロボ装置を同期させた場合、最初の一発目は同期させられるが二発目以後は内蔵ストロボ装置のリサイクルが間に合わず、露光量を一定にすることができない。
　４）外部ストロボ装置のモードが連写モードに設定された場合（一般的に連写を行う場合、複数回の発光を保障する為、一定光量で複数回発光可能なマニュアル発光のＬｏモードを使用する場合が多い）
　この場合も前記３）と同様に、内蔵ストロボ装置は最初の一発目は同期させることができるが、二発目以後はリサイクルが間に合わず、連写中、常に一定露光とすることがむずかしい。また、多重のストロボ発光連写を行う場合、この影響はより顕著となり、内蔵ストロボ装置の充電完了が間に合った時だけ露光過多となり、写真として失敗してしまうことになる。
　５）外部ストロボ装置が外部調光式のもの、又は外部調光に切換え可能なものの場合
　一般的なカメラでは、外部ストロボ装置から内蔵ストロボ装置への発光停止信号は出されていない為、外部ストロボ装置装着時、内蔵ストロボ装置の発光量制御ができず、外部ストロボ装置の発光停止以後の内蔵ストロボ装置の発光量の分だけ露出オーバーとなる可能性がある。
　また、ストロボ内蔵カメラに外部ストロボ装置を装着していずれかを選択発光させる提案として、例えば特開昭５９−５８４２５号により開示されているが、該提案によると外部ストロボ装置が装着されることにより、内蔵ストロボ装置を不作動とし、外部ストロボ装置のみ発光可能となる様に構成している。しかしこのようなカメラにおいては、増灯の意に反することになる。
（発明の目的）
　本発明は、上述した問題点を解決し、ストロボ内蔵カメラに外部ストロボ装置が装着された状態で行われるストロボ撮影において、常に撮影者の意に添った撮影を行うことのできる外部ストロボ装置装着可能なストロボ内蔵カメラを提供することである。
（発明の特徴）
　上記目的を達成するために、本発明は、
電池と、該電池の電圧を昇圧するＤＣ／ＤＣコンバータと、発光のためのエネルギを蓄えるコンデンサと、放電管と、該放電管の発光を開始させるトリガ回路とを備えた
、該外部ストロボ装置側にて
（発明の実施例）
　以下、本発明を図示の実施例に基づいて詳細に説明する。
　第３図は本発明の一実施例のストロボ内蔵カメラに外部ストロボ装置を装着した状態を示す側面図であり、２０１はカメラ本体、２０２はズームレンズ、２０３はカメラ本体に配置された内蔵ストロボ装置（実施例においては以下内蔵ストロボと記す）、２０４は外部ストロボ装置（実施例においては以下外部ストロボと記す）、２０５は集光レンズ、２０６は発光部である。
　第２図は、上記第３図に示した外部ストロボ２０４の回路ブロックであり、第１図はカメラ本体２０１内のカメラ制御回路及び内蔵ストロボ２０３の回路ブロック図である。
　尚この第１の実施例では、外部ストロボのモードとしてＦＥＬモード、及び後幕発光モードを有するものであり、構成の詳細を以下に述べる。
　第２図において、１は電源スイッチ２に直列に接続された電池、３は電源電池１の電圧を昇圧するＤＣ／ＤＣコンバータ、４はプリ発光のエネルギを蓄えるコンデンサであり、その容量は後述するようにコンデンサ５６の容量よりも小さい。５，６はコンデンサ４の電圧をブリーダする抵抗、７はコンデンサ４の充電完了（以下充完と記す）を検出するコンパレータ、９は抵抗８を直列に接続した充完表示用ＬＥＤ、１１はＸｅ放電管であり、１０は該放電管１１の発光を開始させるトリガ回路、１２は直列調光を行うための制御回路、１３はオアゲート（以下ＯＲと記す）、１４はノアゲート（以下ＮＯＲと記す）、１５，１６はＦＥＴ等から構成されるスイッチで、それぞれ制御信号がＬレベルのときオフ、Ｈレベルのときオンとなる。１９はＸｅ放電管１１の近傍に位置されその発光量を検出するホトダイオード、１７，１８，２０は公知の光積分回路Ｈを構成するそれぞれコンデンサおよびオペアンプである。
　２１はコンパレータを並列に接続したＡ／Ｄコンバータ、２２はラッチ回路、２３はＤ／Ａコンバータ、２４は光積分回路Ｈの出力とＤ／Ａコンバータ２３の出力を比較するコンパレータ、２５はアンドゲート（以下ＡＮＤと記す）、２６はＯＲ、２７はインバータ、２８はコンデンサ、２９はダイオード、３０は抵抗であり、２８，２９，３０によりパルスの立下がりを検出する微分回路を構成している。３１はＡＮＤ、３２はモノステープルマルチバイブレータ（以下ワンショットＯＳと記す）、３３はＡＮＤ、３４はインバータ、３５はＡＮＤ、３６はＢ端子からプリ発光を開始させる信号が入力したことによりセットされるクリア機能付ＲＳフリップフロップ（以下ＲＳＦ／Ｆと記す）、３７，３８，４０はインバータ、３９，４１はＯＲ、４２，４７はＡＮＤ、４３，４４，４５はそれぞれコンデンサ２８，抵抗３０，ダイオード２９と同じであり微分回路を構成する。４６はＥ端子に電圧が印加されているか否かを検出するコンパレータ、４８，４９はＥ端子からストロボ回路側に電流を引き込む量を決定する抵抗、５０は抵抗４８を接続するか否かによりカメラを先幕シンクロモード或は後幕シンクロモードを切り換えるスイッチであり、オフの時なは先幕シンクロモード、オンの時には後幕シンクロモードに切り換わる。
　５１はコンパレータ７がＨレベル（充完）となった際にオンするトランジスタ、５２，５４は抵抗、５３は前記トランジスタ５１をオフさせるトランジスタ、５５はＦＥＬモードとＴＴＬ調光モードとを切り換えるモード切換スイッチである。５６は前述した様にプリ発光の為のエネルギを蓄えるコンデンサ４よりも容量が大きいメイン発光の為のエネルギを蓄えるコンデンサであり、その容量はプリ発光とメイン発光の比率に関連して決定される。即ちプリ発光量がメイン発光量の１／Ｎになる様に設定されている様な場合には、コンデンサ４の容量が、コンデンサ４の容量とコンデンサ５６の容量の和の１／Ｎとなる様に設定される。従って例えばプリ発光量がメイン発光量の１／１０の場合にはコンデンサ４の容量はコンデンサ５６の容量の１／９となる様に設定される。また前記光積分回路Ｈ内のコンデンサ１７，１８の容量も同様に設定される。５７，５８は逆流防止用ダイオード、５９はインバータ３４の出力がＨレベル、すなわちカメラ側のＸ接点がオンとなった際にオンし、インバータ３４の出力がＬレベルとなった際にオフするスイッチング素子である。かかるスイッチング素子５９により、プリ発光時にはコンデンサ４に蓄えられたエネルギにより発光が行われ、メイン発光時にはコンデンサ４とコンデンサ５６に蓄えられたエネルギにより発光が行われることになる。
　Ａ〜Ｆ端子はカメラと接続される端子で、Ａ端子はＸ接点、Ｂ端子はプリ発光の開始、終了を制御する信号がカメラ側から入力する端子で、該端子に入力する信号がＨレベルからＬレベルに反転すると外部ストロボ２０４はプリ発光を開始し、ＬレベルからＨレベルに反転すると発光は終了する。Ｃ端子は外部ストロボ２０４側で設定した撮影モードの信号をカメラ側に伝達する端子で、Ｈレベルの際にはＦＥＬモード、Ｌレベルの際にはＴＴＬ調光モードを意味している。Ｄ端子はＨレベルの信号が入力すると該Ｄ端子から入力する信号がＨレベルからＬレベルに反転するまでの間はたとえＸ接点の信号がＨレベルからＬレベルとなってもストロボ発光を行わないようにする端子であり、かつＴＴＬ調光モードの際にはかかるＤ端子から入力する信号がＬレベルからＨレベルに反転することによりストロボ発光を停止させる。Ｅ端子はカメラ側から印加される定電圧が入力する端子であり、Ｅ端子を流れる電流の量によりカメラの先幕シンクロモード、後幕シンクロモードが決定する。Ｆ端子はグランド端子である。
　第１図はカメラ本体２０１内に配置されるカメラ制御回路及び内蔵ストロボ２０３の回路ブロック図であり、図中Ｖｃｃ，Ｖｃは不図示の電源回路より供給される電圧である。
　第１図において、６０はカメラの各種動作制御を行うマイクロコンピュータ（以下ＣＰＵと記す）であり、プログラム用のＲＯＭ，メモリ用のＲＡＭを内蔵した１チップ型（例えば、モトローラ６８０５）である。６１−Ａは８ビットパラレルのアドレスバス（以下ＡＤと称す）、６１−Ｄは８ビットパラレルのデータバス（以後ＤＢと称す）。６２，７１，８０は３ステートのバスバッファであり、スイッチ６３〜７０は不図示のＩＳＯ感度設定ダイヤルに設けられたスイッチで、コード化されたＩＳＯ感度のアペックス値を入力する。スイッチ７２〜７９は不図示のレンズマウント部に設けられたスイッチで、レンズの開放Ｆナンバーをコード化したアペックス値を入力する。スイッチ８１〜８８は絞り、シャッタ秒時の設定ダイヤルに対応して配置されたスイッチで、設定絞り値、設定シャッタ秒時を入力する。８９はデコーダであり、ＣＰＵ６０のアドレスバス６１−Ａの信号をデコードして出力Ｃ５０〜Ｃ５８のいづれか１つを選択してＨレベルとし、残りの出力をＬレベルに設定する。９０はＡ／Ｄコンバータ、９１はＤ／Ａコンバータであり、ディジタル値Ｎの入力に対して（Ｖｃ−１８ｍＶ×Ｎ）の電圧を出力するよう構成されている。
　９２〜９７はカメラ側でＴＴＬ調光を行うため調光回路Ｉを構成する素子である。９２は、後述する第５−ａ図，第５−ｂ図に示されているようにクイックリターンミラー４０８が撮影光路に配置さている状態ではサブミラー４０９とミラー４０８の中央部のハーフミラーを透過して、被写体の中央部分を測光し、ミラー４０８が上昇してシャッタが開いた状態ではフイルム面からの反射光を測光するように構成されている受光素子、９３はダイオード、９４はオペアンプであり、公知の対数圧縮回路を成しており、またトランジスタ９５は、ベースがオペアンプ９４の出力に接続され、エミッタがＤ／Ａコンバータ９１に接続され、コレクタがコンデンサ９６に接続されたＮＰＮトランジスタであって、伸長用に用いられる。９７はＨレベルの信号が入力することによりオンするスイッチである。
前記調光回路Ｉにおいて、受光素子９２に流れる光電流はＤ／Ａコンバータ９１の出力電圧を（Ｎ×１８ｍＶ）づつ減少させることにより、トランジスタ９５に流れる電流は２Ｎ倍される。またスイッチ９７がオフ状態になってからトランジスタ９５のコレクタ電流ＩＣＥはコンデンサ９６により積分される。
　９８，９９はそれぞれ定電圧源、コンパレータであり、トランジスタ９５のコレクタとコンデンサとの接続点の電圧が積分によってＶｃｃより低下し、定電圧源９８の出力電圧ＥＦｒｅｆより低くなったとき、ＬレベルからＨレベルに反転することによってコンデンサ９６に溜った電荷が一定量に達したことを示し、ストロボ発光を停止させる回路を構成する。
　尚該回路により第３図に示した外部ストロボ２０４へ伝達する発光停止信号を出力する。またＤ／Ａコンバータ９１の出力、コンデンサ９６の容量、定電圧源９８の電圧はストロボ光がフイルム面に適正量照射された時点でストロボ発光が停止するよう設定される。
　ここで例えば受光素子９２に０．１ｌｕｘ．ｓｅｃの光量（ＩＳ０１００のフイルムの適正露光量に相当する）が入射するとコンパレータ９９から発光停止信号が出力されるようにコンデンサ９６の容量、定電圧源９８の電圧を設定したとすると、調光回路Ｉのトランジスタ９５のコレクタ・エミッタ間の電流はＤ／Ａコンバータ９１の出力が１８ｍＶ変化するごとに２倍となる為、Ｄ／Ａコンバータ９１の出力が（Ｖ−１８ｍＶ）であるときには０．２ｌｕｘ．ｓｅｃで、また（Ｖ＋１８ｍＶ）であるときには０．０５ｌｕｘ．ｓｅｃでコンパレータ９９の出力である発光停止信号が出力されることになる。
　１００〜１０２は抵抗、１０３はオペアンプで、トランジスタ９５のコレクタ電圧を反転して増幅する回路を構成する。１０４は画面の周辺部を測光する受光素子、１０５は画面の中央部を測光する受光素子、１０６は電気的スイッチであり、１０７はオペアンプ、１０８はダイオードで、１０７、１０８とで公知の対数圧縮回路を構成する。
　ここでスイッチ１０６が開いている時は、被写界の中央部の輝度の対数圧縮された測光値がオペアンプ１０７の出力となる。またスイッチ１０６が閉じている場合は、受光素子１０４と１０５の出力する光電流の和、つまり被写界全体の輝度の対数圧縮された測光値が出力となる。抵抗１０９〜１１１、オペアンプ１１２は反転増幅回路を構成する。１１３，１１４は電気的スイッチ、１１５はインバータであり、Ａ／Ｄコンバータ９０への入力をＣＰＵ６０のポートＰ２１の信号に基づいて選択する。１１６はカメラの第１緊定を解除してレリーズのための機械的シーケンスを開始するためのマグネット、１１８は通電されることにより自動絞りを発動させ、通電が解除されることにより自動絞りを停止させて絞りの値を制御するマグネット、１２０はカメラのシャッタ先幕を走行させるマグネット、１２２はカメラのシャッタ後幕を走行させるマグネット、１１７，１１９，１２１，１２３は、上記マグネットに通電させるためのトランジスタである。１２４はシャッタ先幕走行が終了するとオフからオン、シャッタ後幕が走行を始めるとオンからオフになるＸ接続スイッチである。１２５，１２６はＯＲである。１２７，１２９は抵抗、１２８はオペアンプ、１３０はトランジスタであり、１２７〜１３０によりトランジスタ１３０がオンのときはＥ端子の電圧をグランドにおとし、オフのときはＶｃの電圧を与え、同時にＥ端子から第２図に示したトランジスタ５１に引きおとされる電流に対応した電圧をオペアンプ１２８の出力に発生させる回路を構成する。抵抗１３１〜１３３はコンパレータ１３４，１３５の基準電圧を発生させる分圧抵抗であり、Ｅ端子から規定の電流（例えば２５０μＡ）以上流れるとコンパレータ１３５の出力がＨレベルになり、コンパレータ１３５の出力がＨレベルとなるより更に大きい電流（例えば８００μＡ）が流れることによってコンパレータ１３４の出力もＨレベルとなるように抵抗１３１〜１３３の抵抗値は設定される。１３６は不図示の電源回路より電源が投入されると一定時間Ｌレベルを出力、それ以後Ｈレベルを出力するパワーアップクリア回路（以後ＰＵＣ回路と記す）である。
　ＳＷ１はレリースボタンの第１ストロークによりオンになるスイッチ、ＳＷ２はレリーズボタンの第２ストロークによりオンになるスイッチ、ＳＷ３はプリ発光を行わせるためのスイッチ、ＳＷ４は巻上げ完了でオンとなり、第５−ａ図，第５−ｂ図に示すミラー４０８が上昇するとオフとなるスイッチ、ＳＷ５は後幕走行完了でオンし、巻上げ中にオフとなるスイッチ、ＳＷ６は部分測光と平均測光とを切り換えるスイッチ、ＳＷ７は不図示の絞り部材に同期して絞りが１段絞り込まれるごとに連動してパルスを１個出力するように絞り込みの量に応じた数のオン・オフをくり返すスイッチ、ＳＷ８はＦＥＬモードにおいてプリ発光によって得られた情報をリセットするためのスイッチ、ＳＷ９は絞り優先撮影とシャッタ優先撮影とを切り換えるスイッチでオンの場合にはシャッタ優先撮影、オフの場合には絞り優先撮影が選択される。
　破線で囲ったＪは、カメラ内に配置された内蔵ストロボの回路ブロック図であり、Ｖｃｃは不図示の電源装置より供給される電源電圧であり、この電源に電源スイッチ１５２が直列に接続されている。１５３はトランジスタ、１５４はコンデンサ、１５５は発振トランス、１５６は抵抗であり、１５３〜１５６で発振昇圧回路が構成されている。トランジスタ１５３のベース・エミッタ間はＥＦＴ等から構成されるスイッチング素子１５７に接続され、制御信号がＬレベルのときオフ，Ｈレベルのときオンとなる。１５８は、ストロボ発光エネルギを蓄えるコンデンサであり、１５９は逆流防止用ダイオード、１６０，１６１はコンデンサ１５８の電圧をブリーダする抵抗、１６２はコンデンサ１５８の充完を検出するコンパレータ、１６３は抵抗１６４を直列に接続された充完表示用ＬＥＤ、１６６はＸｅ放電管であり、１６５は該放電管１６６の発生を開始させるトリガ回路、１６７は直列調光を行うための制御回路、１６８はＯＲ、１６９，１７０はＡＮＤの各ゲートであり、１７１はコンデンサ、１７２はダイオード、１７３は抵抗であり、１７１，１７２，１７３によりパルスの立下がりを検出する微分回路を構成している。１７４，１７５はインバータである。
　以上の様に構成された外部ストロボ及びストロボ内蔵カメラの動作について第４図に示したタイムチャートを用いて説明する。
　まず、外部ストロボ２０４内のスイッチ５５によりＦＥＬモードが選択されＣ端子がＨレベルであり、スイッチ５０がオフであり先幕シンクロモードが選択されている場合について説明する。
　スイッチ２がオンとなり、ＤＣ／ＤＣコンバータ３によりコンデンサ４の電圧が上昇すると、コンパレータ７の出力ａがＬレベルからＨレベルに反転する。これによりＬＥＤ９が点灯するとともにトランジスタ５１がオンとなる（第４図の時刻ｔ１）。
　その後カメラのレリーズボタンの第１ストロークが時刻ｔ２に示すタイミングでオンすると、カメラのスイッチＳＷ１がオンしてＥ端子に定電圧が印加され、抵抗４９に規定の電流が流れる。この場合スイッチ５０はオフであるため、Ｅ端子に流れる電流が例えば２００μＡと比較的小さくなる。その後第１図に示すカメラ側のプリ発光を行わせるためのスイッチＳＷ３がオンされると、ＣＰＵ６０のポートＰ１９よりＬレベルが出力されてトランジスタ１３０がオフし、オペアンプ１２８はＥ端子の電圧をＶｃにするように動作する。同時にポートＰ１５，Ｐ１６がＨレベルとなることにより、第２図に示すＢ端子の信号がＨレベルに立ち上がり、一旦外光分の測光が行われ、その後にＢ端子の信号は一旦Ｌレベルに立ち下がる（時刻ｔ３）。Ｂ端子の信号がＨレベルからＬレベルに立ち下がることによりインバータ３７で反転された信号はＡＮＤ３５、ＯＲ１３を介して立ち上がり信号としてトリガ回路１０に入力し、コンデンサ４のエネルギでＸｅ放電管１１の発光が行われる。同時にＮＯＲ１４の出力がＬレベルとなってスイッチ１５がオフとなり、光積分回路Ｈは動作を開始してＸｅ放電管１１の発光量の一部を積分し始める。またこのときにはスイッチ１６はオフであるため該積分回路Ｈの積分コンデンサは小容量のコンデンサ１８のみオペアンプ２０のフィードバックループに接続される。かかる積分の開始と同時にＲＳＦ／Ｆ３６はトリガ回路１０と同様にセットされ、そのＱ出力はＨレベルに、Ｑ出力はＬレベルに反転する。
　前記Ｘｅ放電管１１の発光による被写体での反射光が第１図に示すカメラの調光回路Ｉによって後述の様に積分され、所定のレベルに達した際にＢ端子の信号がＬレベルからＨレベルに反転させられる（時刻ｔ４）。かかる信号の立上がりによりインバータ２７，コンデンサ２８，ダイオード２９，抵抗３０からなる微分回路によって立上がりパルスがつくられ（第４図の出力ｂ）、ＯＲ２６を介して制御回路１２に入力してＸｅ放電管１１の発光が停止するとともに、ラッチ回路２２のクロック入力端子に入力する。Ａ／Ｄコンバータ２１はＸｅ放電管１１の発光量の一部の積分値を常にＡ／Ｄ変換しており、その結果がＸｅ放電管１１の発光の停止とともにラッチ回路２２にラッチされる。従って以上のプリ発光によって生じる被写体の反射光がカメラに入射し、該入射光のレベルが所定のレベルに達した際のプリ発光のＸｅ放電管１１から発光された発光量がラッチ回路２２に記憶されることになる。
　次にカメラのレリーズボタンの第２ストロークが押圧され、第１図に示すスイッチＳＷ２がオンされる場合について説明する。
　まずシャッタが走行する前に既にＤ端子の信号は立上がっている。シャッタが走行し、シャッタ先幕が走行完了してＸ接点がオンとなり、端子ＡがＬレベルになると（時刻ｔ６）、インバータ４０の出力はこの時点ではＨレベルであるためＡＮＤ３３の出力はＨレベルとなってワンショットＯＳ３２の出力はＨレベルとなる。
　ここでコンデンサ４の充完状態が続いていれば、ＡＮＤ３１の出力はＯＲ１３を介してトリガ回路１０に入力し、Ｘｅ放電管１１が発光する。またこの場合にはＸ接点がオンとなりスイッチング素子５９がオンとなる為、コンデンサ５６とコンデンサ４とのエネルギでＸｅ放電管１１は発光を行う。と同時にＡＮＤ４２の出力もＨレベルとなってトランジスタ５３がオンしてトランジスタ５１がオフすることになり、Ｅ端子を介してカメラから引き込む電流の量が変化する。したがってこの変化をカメラ側で検出すれば、メイン発光がいつ行われたかを正確にカメラ側で検出することができる。
　Ｘｅ放電管１１が発光すると同時にＮＯＲ１４の出力はＬレベルとなり、スイッチ１５はオフとなりスイッチ１６はオンとなるので光積分回路Ｈのオペアンプ２０のフィードバックループに接続されたコンデンサの容量はコンデンサ１７と１８の容量の和となる。またＸｅ放電管１１の発光中の光積分回路Ｈの出力はコンパレータ２４に入力し、Ｄ／Ａコンバータ２３の出力と比較され、一致するとコンパレータ２４の出力はＬレベルからＨレベルに反転し、ＡＮＤ２５に入力する。ここで前述した様にＲＳＦ／Ｆ３６のＱ出力はＨレベルであり、スイッチ５５はＦＥＬモードに選択されているのでＡＮＤ２５の出力はコンパレータ２４の出力の反転とともにＨレベルとなり、ＯＲ２６を介して制御回路１２に入力してＸｅ放電管１１の発光は停止する。この場合はＯＲ３９の出力がＬレベルの為（ＲＳＦ／Ｆ３６のＱ出力はＬレベル、インバータ３８の出力はＬレベル故）、ＡＮＤ４７の出力ｅもＬレベルである。したがってたとえＤ端子から発光停止信号が出力され、コンデンサ４３，抵抗４４，ダイオード４５から正のパルスｄが出力されてもＡＮＤ４７の出力は常にＬレベルであるため受けつけられない。すなわち外部ストロボ２０４がＦＥＬモードの場合にはカメラがＴＴＬ調光のためのストロボ発光を停止させる発光停止信号を出力する機能を有していて、ストロボ発光途中にたとえ発光停止信号がカメラから出力されても該信号によってストロボ発光は停止することはない。
　一方、外部ストロボ２０４がＦＥＬモードにある場合のカメラ内蔵ストロボは、Ｃ端子がＨレベルであるためＯＲ１６８の出力がＨレベルとなりスイッチ１５７はオンとなる為、トランジスタ１５３のベース・エミッタ間が短絡され発振昇圧回路は不動作となり、またＯＲ１６８の出力がＨレベルでありインバータ１７５の出力レベルはＬレベルとなる為、ＡＮＤ１６９はＬレベルのままであり、Ｘ信号が入力してもトリガ信号は出されず、ストロボ発光することはない。
　また、外部ストロボ２０４をスイッチ５５によりＦＥＬモードにしておき、カメラ側でプリ発光スイッチを押込むことなくレリーズボタンの第２ストロークまで押し込んだ場合について第４図に示すタイムチャートの時刻ｔ１１〜ｔ１６を参照して説明する。
　カメラ側でプリ発光スイッチを押し込むことなくレリーズボタンの第２ストロークまで押し込んだ場合には、端子Ｂから信号が外部ストロボ２０４に入力することがない為、ＲＳＦ／Ｆ３６はセットされずにその出力ＱはＬレベルのままである。したがってラッチ回路２２にラッチされている情報に応じてコンパレータ２４の出力による信号が制御回路１２に入力することはない。カメラ側からＤ端子に入力する発光停止信号すなわちＤ端子に入力する信号がＬレベルからＨレベルに立ち上がることにより、コンデンサ４３，抵抗４４，ダイオード４５に発生するパルスｅがＡＮＤ４７、ＯＲ２６を介して制御回路１２に入力してＸｅ放電管１１の発光は停止させられる。したがって外部ストロボ２０４をスイッチ５５によりＦＥＬモードとしておいても、カメラ側でプリ発光しなければ、ストロボ発光はカメラ側の発光停止信号により停止させられるため、適正露光を得ることができる。
　またスイッチ５５によりＴＴＬ調光モードが選択されＣ端子がＬレベルであり、スイッチ５０がオフであり先幕シンクロモードが選択されている場合について説明する。
　かかる場合にはスイッチ５５によりＣ端子がＬレベルとなっているためＡＮＤ３５の出力は常にＬレベルであり、たとえカメラ側でプリ発光スイッチが押し込まれてＢ端子にＨレベルからＬレベルに反転する信号が入力してもかかる信号はトリガ回路１０に入力しない。したがって発光が行われることはない。
　またレリーズボタンの第２ストロークまで押し込んだ場合には、前述の外部ストロボ２０４をスイッチ５５によりＦＥＬモードにしておき、カメラ側でプリ発光スイッチを押し込むことなくレリーズボタンの第２ストロークまで押し込んだ場合と同様である。
　一方、ＴＴＬ調光モードが選択され、また先幕シンクロモードが選択された場合のカメラ内蔵ストロボは、Ｃ端子がＬレベルであり、また先幕シンクロモードではコンパレータ１３４の出力もＬレベルであり、よってＯＲ１６８の出力はＬレベルでありスイッチ１５７はオフであるから、トランジスタ１５３のベース・エミッタ間は短絡されることなく正常な発振昇圧動作を行う。そして充完信号とＸ接点オンになるとＡＮＤ１６９はＨレベルとなり、外部ストロボの発光と同時に発光が開始される。この両方のストロボ発光がフィルム面に適正量照射された時点でコンパレータ９９から発光停止信号が出力され、この信号がＬレベルからＨレベルに立ち上がることによりコンデンサ１７１，ダイオード１７２，抵抗１７３に発生するパルス信号がＡＮＤ１７０を介して制御回路１６７に入力し、Ｘｅ放電管１６６の発光は外部ストロボと同時に停止となる。
　次に、外部ストロボのスイッチ５０をオンにして後幕シンクロモードを選択した場合について説明する。
　外部ストロボのスイッチ５０をオンにすると、抵抗４９と並列に抵抗４８が挿入されることになり、Ｅ端子をカメラ側からみたインピーダンスが小さくなる。したがって、Ｅ端子に定電圧を印加すればカメラ側から流れ込む電流が大きくなり、カメラ側にて後幕シンクロモードが選択されたことが検出される。後幕シンクロにおいては、カメラは通常（先幕シンクロモード）とは異なり、Ｄ端子をシャッタ後幕の走行開始直前までＨレベルに維持する（尚先幕シンクロモードにおいてはＤ端子はシャッタ先幕走行直前にＨレベルからＬレベルに反転させられる）ため、たとえシャッタ先幕が走行を完了してＸ接点がオンになりＡ端子の信号がＨレベルからＬレベルとなってインバータ３４を介してＡＮＤ３３の入力の一方がＨレベルとなっても、Ｄ端子の信号がＬレベルに反転するまではＡＮＤ３３の出力はＬレベルのままであり、トリガ回路１０にトリガ信号は入力しない。
シャッタ後幕走行開始直前にＤ端子の信号はＨレベルからＬレベルに反転するため、該信号の反転に同期してトリガ回路１０にトリガ信号が入ってストロボ発光が行われる。その他の動作については先幕シンクロモードと同様のため説明を省略する。
　一方、ＴＴＬ調光モードが選択され、また後幕シンクロモードが選択された場合のカメラ内蔵ストロボは、外部ストロボが充完すると、第１図において、コンパレータ１３４の出力はＬレベルからＨレベルに変りＯＲ１６８の出力はＨレベルとなり、スイッチ１５７はオンとなってトランジスタ１５３のベース・エミッタ間は短絡され、発振昇圧回路は不動作となり、またＯＲ１６８の出力がＨレベルでありインバータ１７５の出力はＬレベルとなる為、ＡＮＤ１６９はＬレベルのままであり、Ｘ信号が入力してもトリガ信号は出されず、内蔵ストロボは発光しない。
　第６図及び第７図は本発明の他の実施例を示す回路図であり、第６図は外部ストロボの回路ブロック図、第７図はカメラ制御回路及び内蔵ストロボの回路ブロックである。
　この実施例による構成は、第１図〜第４図に示す実施例のＦＥＬモード、後幕シンクロモードをなくし、新たにＴＴＬ調光と外部調光との切り換えスイッチを設けたものであり、対応する構成部品については同一番号を付してある。
　新たな構成部品として、第６図に示す１８１がＴＴＬ調光と外部調光の切り換えスイッチ、１８２が主被写体の反射光を受光するフォトダイオード、１８３がナンドゲートであり、第７図に示す１８４が警告表示回路である。
　以下、上記構成の回路動作について説明する。
　まず、スイッチ１８１により外部調光モードが選択され、Ｃ端子がＨレベルである場合について説明する。
　スイッチ２がオンとなり、ＤＣ／ＤＣコンバータ３により主コンデンサ５６の電圧が上昇すると、コンバレータ７の出力がＬレベルからＨレベルに反転する。これにより、ＬＥＤ９が点灯するとともにトランジスタ５１がオンとなる。その後、カメラのレリーズボタンの第１ストロークにより第７図に示すスイッチＳＷ１がオンし、Ｅ端子に定電圧が印加され、抵抗４９に規定の電流が流れる。さらにカメラのレリーズボタンの第２ストロークが押圧され、第７図に示すスイッチＳＷ２がオンする。この時、まずシャッタが走行する前にＤ端子の信号は立ち下がっている。シャッタが走行し、シャッタ先幕が先行完了してＸ接点がオンとなってＡ端子がＬレベルになると、インバータ４０の出力はこの時点ではＨレベルであるため、ＡＮＤ３３の出力はＨレベルとなってワンショットＯＳ３２の出力はＨレベルとなる。ここで主コンデンサ５６が充完状態にあれば、ＡＮＤ３１の出力はトリガ回路１０に入力し、Ｘｅ放電管１１が発光する。と同時に、ＡＮＤ４２の出力もＨレベルとなってトランジスタ５３がオンしてトランジスタ５１がオフすることになり、Ｅ端子を介してカメラから引き込む電流の量が変化する。
　また、ナンドゲート１８３の出力はＬレベルとなり、スイッチ１５はオフとなり、１８´，２０，１８２で構成される光積分回路Ｈは被写体よりの反射光の積分を開始する。この光積分回路Ｈの出力はコンパレータ２４に入力し、フィルム面で適正量照射された積分量に対応した所定値Ｖｒｅｆ２と比較され、一致するとコンパレータ２４の出力がＬレベルからＨレベルに反転し、ＡＮＤ２５に入力する。スイッチ１８１は外部調光モードに選択されているのでＡＮＤ２５の出力はコンパレータ２４の出力の反転と共にＨレベルとなり、ＯＲ２６を介して制御回路１２に入力してＸｅ放電管１１の発光は停止する。この時、インバータ３８の出力はＬレベルの為、ＡＮＤ４７の出力もＬレベルである。したがって、たとえＤ端子から発光停止信号が出力され、コンデンサ４３，抵抗４４，ダイオード４５から正のパルスが出力されてもＡＮＤ４７の出力は常にＬレベルであるため受けつけられない。すなわち、外部ストロボが外部調光モードの場合には、カメラがＴＴＬ調光のためストロボ発光を停止させる発光停止信号を出力する機能を有していてストロボ発光途中にたとえ発光停止信号がカメラから出力されても、該信号によってストロボ発光が停止することはない。
　一方、外部ストロボが外部調光モードにある場合のカメラ内蔵ストロボは、Ｃ端子がＨレベルにある為、スイッチ１５７はオンとなる。この為、トランジスタ１５３のベース・エミッタ間が短絡されて発振昇圧回路は不動作となり、またインバータ１７５の出力はＬレベルとなる為、ＡＮＤ１６９はＬレベルのままであり、Ｘ信号が入力してもトリガ信号は出されず、内蔵ストロボは発光しない。この時、警告表示回路１８４が点灯して内蔵ストロボは発光しないことの警告を行う。
　次に、スイッチ１８１によりＴＴＬ調光モードが選択され、Ｃ端子がＬレベルである場合について説明する。
　かかる場合には、スイッチ１８１によりＣ端子がＬレベルとなっているため、ナンドゲート１８３の出力は常にＨレベルであり、スイッチ１５は常にオンであり、外部調光回路は作動しない。また、レリーズボタンの第２ストロークまで押し込んだ場合には、Ａ端子のＸ信号発生により発光が開始されるが、上述の様にコンパレータ２４の出力による信号が制御回路１２に入力することはなく、カメラ側からＤ端子に入力する発光停止信号すなわちＤ端子に入力する信号がＬレベルからＨレベルに立ち上がることにより、コンデンサ４３，抵抗４４，ダイオード４５に発生するパルス信号がＡＮＤ４７，ＯＲ２６を介して制御回路１２に入力してＸｅ放電管１１の発光は停止させられる。
　一方、ＴＴＬ調光モード選択された場合の内蔵閃ストロボは、Ｃ端子がＬレベルであり、スイッチ１５７はオフであり、トランジスタ１５３のベース・エミッタ間は短絡されることなく正常な発振昇圧動作を行う。そして充完信号が入りＸ接点がオンになるとＡＮＤ１６９はＨレベルとなり、外部ストロボと同時に発光が開始される。この両方のストロボがフィルム面に適正量照射された時点でコンパレータ９９から発光停止信号が出力され、この信号がＬレベルからＨレベルに立ち上がることにより、コンデンサ１７１，ダイオード１７２，抵抗１７３に発生するパルス信号がＡＮＤ１７０を介して制御回路１６７に入力して、Ｘｅ放電管１６６の発光は、外部ストロボと同時に停止させられる。
　この第２の実施例では、外部ストロボにＴＴＬ調光と外部調光の切り換えのスイッチを設けているが、必ずしもこの様な構成を取らなくても良く、単に外部調光ストロボを取り付けた状態で、内蔵ストロボの機能を禁止する様に構成しても良い。また、上記実施例以外に外部ストロボをカメラに取り付けた状態で可能になるモード、すなわちマニュアル発光モードの場合にも、このモードに入ったことを検知して、内蔵ストロボの動作を禁止する様に構成しても良い。さらに、外部ストロボがマルチ発光モード、又は連写モード、マルチ発光モードに入ったことを検知して内蔵ストロボの動作を禁止する様に構成しても良い。
　本実施例によれば、ストロボ内蔵カメラに外部ストロボが取り付けられた状態で、マニュアル発光モード，後幕発光モード，マルチ発光モード，連写モード，外部調光モード，ＦＥＬモード等の各種モードに設定された場合には、内蔵ストロボの発光を禁止する様にしているので、撮影意図に沿った写真撮影を行わせることが可能となる。
（発明と実施例の対応）
　本実施例において、Ｃ端子、ＯＲ１６８が検知手段に、スイッチ１５７が発光規制手段に、それぞれ相当する。
（発明の効果）
　以上説明したように、本発明によれば、
電池と、該電池の電圧を昇圧するＤＣ／ＤＣコンバータと、発光のためのエネルギを蓄えるコンデンサと、放電管と、該放電管の発光を開始させるトリガ回路とを備えた
、該外部ストロボ装置側にて
、外部ストロボ装置側にて
か
【図面の簡単な説明】
　第１図は本発明の一実施例のストロボ内蔵カメラの主要部分のブロック図、第２図は同じく外部ストロボのブロック図、第３図は同じく外部ストロボ装着時のストロボ内蔵カメラの側面図、第４図は第１図及び第２図実施例の動作説明を助けるためのタイミングチャート、第５−ａ図は同じく測光時の光路を示す図、第５−ｂ図は撮影時の光路を示す図、第６図は本発明の他の実施例のストロボ内蔵カメラの主要部分のブロック図、第７図は同じく外部ストロボのブロック図である。
　１５７……スイッチ、２０１……カメラ本体、２０３……内蔵ストロボ装置、２０４……外部ストロボ装置、Ａ〜Ｆ……端子。